(57)【要約】      （修正有）【課題】磁石片の表面のうねりなどにかかわらず、磁石片の表面に対して確実に均一に適切な圧力を加えて精度良く割断用溝に沿って磁石片を割断する。【解決手段】磁石割断装置１０は、割断用溝１０１が形成された磁石片１００の一方の側１００Ａを保持する保持部２０と、他方の側１００Ｂを、割断用溝１０１の幅を広げる方向へ移動させる移動部３０とを有しており、少なくとも保持部２０が、磁石片１００に当接する第１治具２３、２８と、第１治具２３、２８に加圧力を伝達する第２治具２４、２９とを備え、第２治具２４、２９が、第１治具２３、２８よりも柔らかく且つ第１治具２３、２８に加圧力を伝達し得る硬度の材質により構成されて、第１治具２３、２８を介して磁石片１００の表面に加圧力を伝達するときに第２治具２４、２９が磁石片１００の表面に追従するように弾性変形することが可能になっている。【選択図】図１
2015018956.tif 000002
【特許請求の範囲】
【請求項１】
割断用溝が形成された磁石片の、前記割断用溝を境にして一方の側を保持する保持部と、
前記磁石片の前記割断用溝を境にして他方の側を、前記割断用溝の幅を広げる方向へ移動させる移動部とを有しており、
前記磁石片の一方の側を保持部により保持した状態で、前記磁石片の他方の側を前記移動部により前記割断用溝の幅を広げる方向へ移動させて、前記割断用溝に沿って前記磁石片を割断する磁石割断装置であって、
前記保持部および前記移動部のうち少なくとも前記保持部が、複数の部材から構成され、
前記各部材が、前記磁石片に当接する第１治具と、該第１治具に加圧力を伝達する第２治具とを備え、
前記第２治具が、前記第１治具よりも柔らかく且つ前記第１治具に加圧力を伝達し得る硬度の材質により構成されて、前記第１治具を介して前記磁石片の表面に加圧力を伝達するときに前記第２治具が前記磁石片の表面に追従するように弾性変形することが可能になっており、
互いに隣接する前記各部材の間隔を保持する間隔保持手段を設けたことを特徴とする磁石割断装置。
【発明の詳細な説明】
【技術分野】
【０００１】
本発明は、割断用溝を有する磁石片を、割断用溝に沿って割断する磁石割断装置に関する。より詳細には、１つの磁石片を精度良く割断して、割断面が湾曲することなく、複数の分割磁石を形成することができる磁石割断装置に関するものである。
【背景技術】
【０００２】
近年、ハイブリッド自動車や電気自動車で使用される駆動用モータについては、モータの出力性能アップが追求されている中でたとえばその回転数や極数の増加が図られている。ところが、この回転数の増加等によって磁石に作用する磁界の変動率が大きくなり、その結果としてロータ内に渦電流が発生し易く、発熱によってもたらされる磁石の熱減磁によってモータ性能が逆に低下するといった課題が生じてくる。
【０００３】
そのため高効率なモータを実現するためには、ロータ内に生じる渦電流を低減する必要がある。そこで、ロータコアに埋め込まれる永久磁石を分割してその表面積を小さくすることにより、作用する磁界の変動により発生する渦電流を低減させ、渦電流に伴う永久磁石の発熱を抑制し、不可逆的な熱減磁を防止することが行われている（特許文献１参照）。このように永久磁石の分割を切断などの機械加工により行うと、かかる機械加工に伴う切りくずが発生し、歩留まりを向上させることが困難となる。
【０００４】
そこで、歩留まりの向上を図るために、永久磁石を割断することにより分割することが考えられている。そして、永久磁石を割断するための装置１０’として、図５の（ａ）に示すように、割断用溝１０１が形成された磁石片１００の、割断用溝１０１を境にして一方の側１００Ａを保持する保持部２０’と、磁石片１００の割断用溝１０１を境にして他方の側１００Ｂを、割断用溝１０１の幅を広げる方向へ移動させる移動部３０’とを有するものが考えられる。この磁石割断装置では、磁石片１００の一方の側１００Ａを保持部２０’により保持した状態で、磁石片１００の他方の側１００Ｂを移動部３０’により割断用溝１０１の幅を広げる方向へ移動させて、図５の（ｂ）に示すように、割断用溝１０１に沿って磁石片１００を割断して分割磁石１０２とする。
【先行技術文献】
【特許文献】
【０００５】
【特許文献１】特開２０１１−２４４６１３号公報
【発明の概要】
【発明が解決しようとする課題】
【０００６】
しかしながら、図５に示した磁石割断装置１０’により磁石片１００を割断する場合にあっては、分割磁石１０２の割断された断面が湾曲するなど、精度良く磁石片を割断して分割磁石を成形することができず、分割磁石を用いる製品の性能を満たすことができなくなるという問題が発生する。ここで、分割磁石１０２の割断された断面が湾曲する要因は、磁石片の表面のうねりや平行度に起因することがわかっている。すなわち、磁石片１００の割断用溝１０１から一方の側１００Ａを保持部２０’で保持したときに、磁石片１００を保持するための保持部２０’の圧力が磁石片１００の一方の側１００Ａにほとんどかからない箇所が発生する。また、他方の側１００Ｂを移動部３０’で移動させて割断するときに、移動部３０’の圧力が磁石片１００の他方側１００Ｂにほとんどかからない箇所が発生することもある。このように、表面にうねりが有り両表面の平行度が低い（平行度を示す値が大きい）磁石片１００に対して均一に加圧できないと、分割磁石１０２の割断された断面が湾曲することとなる。
【０００７】
本発明は、上述した問題を優位に解決するためになされたもので、磁石片の表面のうねりなどにかかわらず、磁石片の表面に対して確実に均一に適切な圧力を加えて精度良く割断用溝に沿って磁石片を割断することができる磁石割断装置を提供することを目的とする。
【課題を解決するための手段】
【０００８】
本発明の磁石割断装置に係る発明は、上記目的を達成するため、割断用溝が形成された磁石片の、前記割断用溝を境にして一方の側を保持する保持部と、前記磁石片の前記割断用溝を境にして他方の側を、前記割断用溝の幅を広げる方向へ移動させる移動部とを有しており、前記磁石片の一方の側を保持部により保持した状態で、前記磁石片の他方の側を前記移動部により前記割断用溝の幅を広げる方向へ移動させて、前記割断用溝に沿って前記磁石片を割断する磁石割断装置であって、前記保持部および前記移動部のうち少なくとも前記保持部が、複数の部材から構成され、前記各部材が、前記磁石片に当接する第１治具と、該第１治具に加圧力を伝達する第２治具とを備え、前記第２治具が、前記第１治具よりも柔らかく且つ前記第１治具に加圧力を伝達し得る硬度の材質により構成されて、前記第１治具を介して前記磁石片の表面に加圧力を伝達するときに前記第２治具が前記磁石片の表面に追従するように弾性変形することが可能になっており、互いに隣接する前記各部材の間隔を保持する間隔保持手段を設けたことを特徴とする。
【０００９】
本発明の磁石割断装置では、割断用溝が形成された磁石片の、割断用溝を境にして一方の側の領域を保持部により保持する。保持部は、複数の部材から構成されている。各部材は、磁石片に当接する第１治具と、この第１治具に加圧力を伝達する第２治具とをそれぞれ備えている。各第２治具は、第１治具よりも柔らかく且つ第１治具に加圧力を伝達し得る硬度の材質により構成されており、第１治具を介して磁石片の表面に加圧力を伝達するときに第２治具が磁石片の表面のうねりなどに追従するように弾性変形することが可能となっている。そのため、第１治具の当接面が磁石片の表面に確実に当接した状態で加圧する。このとき、磁石片の表面に追従することにより、一の部材における第１治具が隣接する部材の第２治具と干渉することが想定される。しかしながら、間隔保持手段によって互いに隣接する部材の間隔が保持されるため、一の部材における第１治具とこれに隣接する部材の第２治具とが干渉するのを防止する。したがって、磁石片の一方の側の領域が保持部によって確実に均等な圧力で保持される。
次いで、このように保持部により割断用溝を境にして一方の側を均等な圧力で保持した状態で、移動部により割断用溝を境にして他方の側に圧力を加えて割断用溝の幅を広げる方向へ移動させ、割断用溝に沿って磁石片を割断する。ここで、移動部は、保持部と同様に、複数の部材から構成され、各部材は、磁石片に当接する第１治具と、この第１治具に加圧力を伝達する第２治具とをそれぞれ備えており、各第２治具は、第１治具よりも柔らかく且つ第１治具に加圧力を伝達し得る硬度の材質により構成されており、第１治具を介して磁石片の表面に加圧力を伝達するときに第２治具が磁石片の表面のうねりなどに追従するように弾性変形可能とすることができる。この場合には、第１治具の当接面が磁石片の他方の領域の表面に確実に当接した状態で加圧して、磁石片の他方の側の領域を割断用溝の幅を広げる方向へ移動させる。このとき、磁石片の表面に追従することにより、一の部材における第１治具が隣接する部材の第２治具と干渉することが想定されるが、間隔保持手段によって互いに隣接する部材の間隔が保持されるため、一の部材における第１治具とこれに隣接する部材の第２治具とが干渉するのを防止する。したがって、磁石片の一方の側の領域が保持部によって確実に均等な圧力で保持された状態で、他方の領域が移動部によって確実に均等に加圧される。そのため、磁石片の、保持部により均等な圧力で保持された一方の側と、移動部により均一な圧力で割断用溝の幅を広げる方向へ移動される他方の側とに、割断用溝に沿って確実に精度良く割断される。
なお、第２治具を構成する、第１治具よりも柔らかく、且つ、第１治具を加圧し得る硬度の材質として、例えば、ジュラトロン樹脂（ＰＥＩ）や超々ジュラルミンＡ７０７５などを挙げることができる。
また、間隔保持手段は、前記部材の間に配設された仕切り部材、または、前記部材の互いに隣接する前記第１治具及び前記第２治具の対向面に設けられた突起のいずれかにより構成することができる。
さらに、磁石片の表面に追従して第１治具と第２治具とが相対的に移動することができるよう構成することができる。
【発明の効果】
【００１０】
本発明に係る磁石割断装置によれば、上記した通り、磁石片表面のうねりなどにかかわらず、磁石片を適切に加圧して確実に精度良く磁石片を割断することができる。
【図面の簡単な説明】
【００１１】
【図１】本発明の磁石割断装置の実施の一形態を説明するために概略で示した要部の斜視図である。
【図２】図１の右方から見た正面図である。
【図３】第１治具と第２治具とが相対的に移動することができるよう構成し、且つ間隔保持手段を設けないことを仮定した場合において、互いに隣接する部材のうちの一の部材の第１治具とこれに隣接する部材の第２治具とが干渉する場合を説明するために示した正面図である。
【図４】本発明の磁石割断装置の第２の実施の形態における間隔保持手段を説明するために部分的に示した正面図である。
【図５】従来の磁石割断装置を説明するために概略で示した正面図である。
【発明を実施するための形態】
【００１２】
本発明の磁石割断装置１０の実施の一形態を図１〜図４に基づいて詳細に説明する。なお、図において同じ符号は、同様または相当する部分を示すものとする。
本発明の磁石割断装置１０は、概略、割断用溝１０１が形成された磁石片１００の、割断用溝１０１を境にして一方の側１００Ａの領域を保持する保持部２０と、磁石片１００の割断用溝１０１を境にして他方の側１００Ｂの領域を、割断用溝１０１の幅を広げる方向へ移動させる移動部３０とを有しており、磁石片１００の一方の側１００Ａの領域を保持部２０により保持した状態で、磁石片１００の他方の側１００Ｂの領域を移動部３０により割断用溝１０１の幅を広げる方向へ移動させて、割断用溝１０１に沿って磁石片１００を割断して分割磁石を得るためのものであって、保持部２０と移動部３０のうちの少なくとも保持部２０が、複数の部材２１ａ，２２ａ（，３０ａ）から構成され、各部材２１ａ，２２ａ（，３０ａ）が、磁石片１００に当接する第１治具２３，２８（，３３）と、この第１治具２３，２８（，３３）に加圧力を伝達する第２治具２４，２９（、３４）とを備え、第２治具２４，２９（，３４）が、第１治具２３，２８（，３３）よりも柔らかく且つ第１治具２３，２８（，３３）に加圧力を伝達し得る硬度の材質により構成されて、第１治具２３，２８（，３３）を介して磁石片１００の表面に加圧力を伝達するときに第２治具２４，２９（，３４）が磁石片１００の表面に追従するように弾性変形することが可能になっており、さらに、互いに隣接する各部材２１ａ，２２ａ（，３０ａ）の間隔を保持する間隔保持手段４０が設けられている。
なお、間隔保持手段４０として、各部材２１ａ，２２ａ（，３０ａ）の間に配設された仕切り部材４０Ａにより構成した場合の実施の形態を図２に示し、各部材２１ａ，２２ａ（，３０ａ）の互いに隣接する第１治具２３，２８（，３３）と第２治具２４，２９（，３４）の対向面に設けられた突起４０Ｂにより構成した場合の実施の形態を図４に示す。
【００１３】
最初に、磁石片１００は、焼結金属からなる希土類磁石で着磁前の状態にあり、直方体形状をなすもの、あるいは板状のものである。この実施の形態では、磁石片１００の上面に、割断される際の基点となる割断用溝１０１が形成されている。この割断用溝１０１は、断面がＵ字状をなしている。なお、割断用溝１０１の断面形状は、Ｕ字状に限定されることはなく、たとえばＶ字状など、他の形状とすることができる。また、割断用溝１０１の開口部の幅や、磁石片１００の厚さに対する割断用溝１０１の深さなどは、適宜設定することができる。さらに、割断用溝１０１は、磁石片１００の両面に形成することもできる。
【００１４】
保持部２０は、磁石片１００の上方に配設される押さえ部２１と、磁石片１００の下方に配設される受け部２２とを有する。これらの押さえ部２１及び受け部２２は、それぞれが複数の部材２１ａ及び２２ａで構成されている。押さえ部２１の各部材２１ａと受け部２２の各部材２２ａは、それぞれ互いに対向するように配設されている。
【００１５】
各部材２１ａ，２２ａは、それぞれ磁石片１００の一方の側１００Ａの領域に当接する第１治具２３，２８と、この第１治具２３，２８に加圧力を伝達する第２治具２４，２９とを備えている。第１治具２３，２８は、ヤング率が高い材料（例えばＳＫＤ１１材など）により構成することができる。また、第２治具２４，２９は、第１治具２３，２８よりも柔らかく且つ第１治具２３，２８に加圧力を伝達し得る硬度の材質により構成されている。そのため、後述するように、押さえ部２１と受け部２２の間に磁石片１００の一方の側１００Ａの領域を挟んで保持するために、第１治具２３，２８を介して磁石片１００の表面に加圧力を伝達するときに、第２治具２４，２９が弾性変形することにより、第１治具２３，２８がその姿勢や位置等を変えて磁石片１００の表面に追従することが可能となっている。第２治具２４，２９は、例えば、ジュラトロン樹脂（ＰＥＩ）や超々ジュラルミンＡ７０７５などにより構成することができる。
【００１６】
この実施の形態では、取り付け部材４１、４２に対して、第１治具２３，２８と第２治具２４，２９が、それぞれ、水平方向と垂直方向に所定の範囲で相対的に移動可能に支持されている。押さえ部２１の各部材２１ａは、第１治具２３が磁石片１００を加圧していないときに、第１治具２３が取り付け部材４１に吊り下げられており、この第１治具２３上に第２治具２４が載置されており、第２治具２４の上面と取り付け部材４１との間にわずかな隙間が生じる状態となっている。また、受け部２２の各部材２２ａは、第１治具２８に磁石片１００が接していないときに、取り付け部材４２上に第２治具２９が載置され、この第２治具２９上に第１治具２８が載置された状態となっている。
【００１７】
この実施の形態では、押さえ部２１（部材２１ａ）の取り付け部材４１が上下方向に移動可能に配設され、磁石片１００の一方の側１００Ａの領域を保持するときに、その第１治具２３の下面が、磁石片１００の一方の側１００Ａの領域の上面に当接し、これを下方に押圧するようになっている。
一方、受け部２２（部材２２ａ）の取り付け部材４２は、磁石割断装置１０の所定位置に固定されている。そして、磁石片１００の一方の側１００Ａの領域を保持するときに、各部材２２ａのその第１治具２８が、それぞれ磁石片１００の一方の側１００Ａの領域の下面に当接し支持して、押さえ部２１による加圧を受けるようになっている。
これにより、保持部２０は、押さえ部２１（各部材２１ａ）と受け部２２（各部材２２ａ）との間に、１つの磁石片１００の一方の側１００Ａの領域を狭持して保持するようになっている。
【００１８】
また、移動部３０は、磁石片１００に形成された割断用溝１０１を境にして、保持部２０とは逆側（他方の側１００Ｂで、図１中では左側）と対応する位置に上下方向に移動可能に配設されている。移動部３０は、図１に示した実施の形態では、保持部２０の押さえ部２１及び受け部２２と同様に構成されている。すなわち、移動部３０は、複数の部材３０ａにより構成されており、各部材３０ａは、磁石片１００の他方の側１００Ｂの領域に当接する第１治具３３と、この第１治具３３に加圧力を伝達する第２治具３４とを備えている。そして、第１治具３３は、ヤング率が高い材料により、また、第２治具３４は、第１治具３３よりも柔らかく且つ第１治具３３に加圧力を伝達し得る硬度の材質により構成されている。さらに、第１治具３３と第２治具３４は、取り付け部材４３に対して、それぞれ、水平方向と垂直方向に所定の範囲で相対的に移動可能に支持されている。移動部３０は、保持部２０により一方の側１００Ａの領域が保持された磁石片１００の、他方の側１００Ｂの領域に対して上方（割断用溝１０１側）から各部材３０の第１治具３３が当接して、割断過重を加えながら割断用溝１０１の幅を広げる方向へ磁石片１００を移動させることにより、割断用溝１０１から磁石片１００の一方の側１００Ａの領域と他方の側１００Ｂとに破断分割（割断）するようになっている。
なお、本実施の形態では、移動部３０は、複数の部材３０ａを有する分割構成となっており、さらに各部材３０ａは、第１治具３３と第２治具３４とを備えた分割構成となっているが、必ずしもこれらの分割構成にする必要はなく、各部材３０ａを分割構成されていない一体構成のものであっても良く、さらには、移動部３０を複数の部材３０ａに分割構成されていない一体構成のものであっても良い。さらに、移動部３０は、磁石片１００の他方の側１００Ｂの領域に対して上方（割断用溝１０１側）から当接して割断荷重を加えるものに限定されることはなく、保持部２０と同様に、磁石片１００の他方の側１００Ｂの領域を両面から挟み込み保持して割断用溝１０１の幅を広げる方向に移動させることができるように構成しても良い。
【００１９】
ここで、磁石片１００の表面は、うねりなどがあり両表面の平行度が低く（両表面の間の距離を少なくとも二方向で測定したときの差によって示される値が大きく）なっている場合がある。そこで、本発明の磁石割断装置１０では、上述したように、少なくとも保持部２０の押さえ部２１と受け部２２が、複数の部材２１ａ，２２ａから構成され、各部材２１ａ，２２ａが、磁石片１００に当接する第１治具２３，２８と、この第１治具２３，２８に加圧力を伝達する第２治具２４，２９とを備え、第２治具２４，２９が、第１治具２３，２８よりも柔らかく且つ第１治具２３，２８に加圧力を伝達し得る硬度の材質により構成されており、さらに、取り付け部材４１、４２に対して、第１治具２３，２８と第２治具２４，２９が、それぞれ、水平方向と垂直方向に所定の範囲で相対的に移動可能に支持されている。そのため、第１治具２３，２８が磁石片１００の表面に接触して加圧するとき、第１治具２３，２８の姿勢が変わり、また、第１治具２３，２８と第２治具２４，２９とが相対的に移動して、磁石片１００の表面に追従させることができる。しかしながら、このように、第１治具２３，２８が姿勢を変え、また、第２治具２４，２９と相対的に移動すると、図３に示すように、複数の部材２１ａ，２２ａのうちの一の部材における第１治具２３，２８が、隣接する部材２１ａ、２２ａの第２治具２４，２９と干渉することが想定される。このような干渉が発生すると、磁石片１００の表面を均一に加圧することができず、その結果、磁石片１００を割断用溝１０１に沿って精度良く割断することができなくなる。
そこで、本発明の磁石割断装置１０では、互いに隣接する前記部材２１ａ、２２ａの間隔を保持する間隔保持手段４０が設けられている。すなわち、図２に示した実施の形態では、各部材２１ａ，２２ａの間に所定の厚さを有する板状の仕切り部材４０Ａが設けられており、また、図４に示した実施の形態では、各部材２１ａ，２２ａの互いに隣接する第１治具２３，２８と第２治具２４，２９の対向面に突起４０Ｂが設けられている。
【００２０】
図２に示した実施の形態では、各仕切り部材４０Ａは、その上縁（押さえ部２０）または下縁（受け部２２）が取り付け部材４１，４２に接合され支持されている。各仕切り部材４０Ａは、少なくとも第１治具２３，２８と第２治具２４，２９との間の所定の範囲にわたる大きさを有するもので、金属板などにより構成することができる。なお、仕切り部材４０Ａは、その上縁及び下縁を取り付け部材４１，４２に接合されることに限定されることはなく、図１に示した取り付け部材４１，４２を各部材２１ａ，２２ａの各側面（図１の左方の側面）と対向させるような形状に形成して、かかる取り付け部材４１，４２の各部材２１ａ，２２ａの側面と対向する部分に仕切り部材４０Ａの側縁を接合しても良い。
【００２１】
また、図４に示した実施の形態では、突起４０Ｂは、一の部材２１ａ，２２ａにおける第１治具２３，２８と第２治具２４，２９の、それぞれ両側に隣接する部材２１ａ，２２ａにおける第１治具２３，２８及び第２治具２４，２９と対向する両側面に形成されている。したがって、両側に隣接する部材２１ａ，２２ａにおける第１治具２３，２８及び第２治具２４，２９に突起４０Ｂを形成する必要はない。また、配列された複数の部材２１ａ，２２ａのうちで端部に位置する部材２１ａ，２２ａ（図２における左右いずれかの端部に位置する部材）における第１治具２３，２８と第２治具２４，２９には、その一方の側のみに部材２１ａ，２２ａが隣接しないため、かかる隣接する部材２１ａ，２２ａと対向する片側の側面のみに突起４０Ｂを形成するだけでよい。
なお、本発明は、所定の部材２１ａ，２２ａにおける第１治具２３，２８と第２治具２４，２９だけに突起４０Ｂを両側に形成することに限定されることはなく、各第１治具２３，２８と第２治具２４，２９の片側の側面または両側の側面にそれぞれ突起４０Ｂを形成しても良い。
【００２２】
以上説明したように、板状の仕切り部材４０Ａ（図２）や突起４０Ｂ（図４）などからなる間隔保持手段４０を設けたことにより、本発明の磁石割断装置１０は、磁石片１００の表面のうねりなどに追従して第１治具２３，２８の姿勢が変化したり、あるいは、位置が移動する場合であっても、複数の部材２１ａ，２２ａのうちの一の部材における第１治具２３，２８が、隣接する部材２１ａ、２２ａの第２治具２４，２９と干渉するのを防止して、確実に磁石片１００の一方の側１００Ａの領域の表面を均一に加圧して保持することができる。そのため、割断用溝１０１に十分な応力集中を発生させることができるので、割断亀裂の進行方向がズレたり、割断亀裂が分岐したり、割断面が傾いたり、割断された分割磁石に欠損が生じるなどの不具合が発生することを防止することができる。これにより、磁石片１００を割断用溝１０１に沿って精度良く割断することができる。
【００２３】
なお、上記では保持部２０に間隔保持手段４０を設けた場合により説明したが、移動部３０が複数の部材３０ａで構成され、各部材３０ａが第１治具３３と第２治具３４とを備えた構成とした場合には、保持部２０と同様に間隔保持手段４０を設けることができる。そのため、移動部３０により磁石片１００の他方の側１００Ｂの領域の表面を確実に均一に加圧して割断用溝１０１の幅を広げる方向に適切に移動させて、割断用溝１０１に沿って磁石片１００を精度良く割断することができる。
【００２４】
なお、上記した実施の形態は単なる例示にすぎず、本発明を何ら限定するものではなく、その要旨を逸脱しない範囲で種々の改良、変形が可能であることはもちろんである。
【符号の説明】
【００２５】
１０：磁石割断装置、  ２０：保持部、  ２１：押さえ部、  ２１ａ：部材、  ２２：受け部、  ２２ａ：部材、  ３０：移動部、  ３０ａ：部材、  ２３，２８，３３：第１治具、  ２４，２９，３４：第２治具、  ４０：間隔保持手段、  ４０Ａ：仕切り部材、  ４０Ｂ：突起、  １００：磁石片、  １０１：割断用溝
【図１】
2015018956.tif 000003
【図２】
2015018956.tif 000004
【図３】
2015018956.tif 000005
【図４】
2015018956.tif 000006
【図５】
2015018956.tif 000007